(57)【特許請求の範囲】
【請求項１】
不連続伝送モードで移動局に送信された専用の制御チャンネルを移動局が管理する方法において、
移動局は、
呼び中に伝送において受信されたフレームが悪いフレームか、良好なフレームか、空のフレームかを決定し、
受信された悪いフレームの数をカウントし，そのカウント値カウント1 は悪いフレームが受信された場合にはインクリメントされ、良好なフレームが受信された場合には０にリセットされ、
カウント1 が第１のしきい値（ＴＨ1)を越えた場合には移動局の送信機をディスエーブルし、
受信された良好なフレームの数をカウントし，そのカウント値カウント2 は良好なフレームが受信された場合にはインクリメントされ、悪いフレームが受信された場合には０にリセットされ、
カウント2 が第２のしきい値（ＴＨ2)を越えた場合には前記移動局の送信機をエネーブルし、
カウント2 が第３のしきい値（ＴＨ3)を越えている場合には常にフェーディングタイマをリセットし、
前記フェーディングタイマの期間が終了する場合には前記移動局の送信機をディスエーブルし、前記呼びを終了し、
受信された空のフレームの数をカウントして、そのカウント値カウント3 は空のフレームが受信された場合にはインクリメントされ、良好なフレームが受信された場合には０にリセットされ、
カウント3 が第４のしきい値（ＴＨ4)を越えた場合には前記移動局の送信機をディスエーブルし、
カウント3 が前記第４のしきい値（ＴＨ4)よりも大きい第５のしきい値（ＴＨ5)を越えた場合には前記呼びを終了する、専用の制御チャンネルを移動局が管理する方法。
【請求項２】
前記伝送において受信されたフレームは設定インターバルにおいて送信された管理フレームを含み、前記方法はさらに、前記設定インターバル中に良好なフレームが受信されない場合にはカウント1 をインクリメントする請求項１記載の方法。
【請求項３】
前記設定インターバルは所定の時間インターバル中の空のフレームの数が第６のしきい値（ＴＨ6)を越えた場合に経過する請求項２記載の方法。
【請求項４】
空のフレームの数は連続する空のフレームである請求項３記載の方法。
【請求項５】
さらに、前記移動局から基地局に対して基地局からの応答を求めるメッセージを送信し、そのメッセージは検出された連続する空のフレームの数が第７のしきい値（ＴＨ7)を越えた場合に送信され、
前記メッセージを送信した後指定された時間内に良好なフレームが前記移動局によって受信されない場合にはカウント1 をインクリメントする請求項１記載の方法。
【請求項６】
さらに、前記移動局から基地局に対して基地局からの回答を求めるＫ個のメッセージを送信し、それらのＫ個のメッセージは検出された連続する空のフレームの数がしきい値を越えたときに送信され、
前記メッセージに対する回答が前記移動局によって受信されない場合には前記移動局の送信機をディスエーブルにして前記呼びが終了されたものと見なす請求項１記載の方法。
【請求項７】
さらに、前記移動局から基地局に対して基地局からの回答を求めるメッセージを送信し、そのメッセージは所定のインターバル中に検出された連続する空のフレームの数がしきい値を越えたときに送信され、
前記メッセージの送信後の指定された時間内に良好なフレームが前記移動局によって受信されない場合にはカウント1 をインクリメントする請求項１記載の方法。
【請求項８】
さらに、前記移動局から基地局に対して基地局からの応答を求めるＫ個のメッセージを送信し、それらのＫ個のメッセージは所定のインターバル中に検出された連続する空のフレームの数がしきい値を越えたときに送信され、
前記メッセージに対する回答が前記基地局から所定の時間内に受信されない場合には前記移動局の送信機をディスエーブルにして前記呼びが終了されたものと見なす請求項１記載の方法。
【請求項９】
不連続伝送モードで動作する送信された専用の制御チャンネルを管理するために使用される装置において、
伝送信号を送信および受信するトランシーバ手段と、
このトランシーバ手段と通信するように結合され、伝送信号中の受信された悪いフレーム、良好なフレーム、空のフレームをカウントするカウント手段とを具備し、
このカウント手段は新しい伝送信号が受信されるときにリセットされ、受信された悪いフレームの数であるカウント1 、良好なフレームの数であるカウント2 、空のフレームの数であるカウント3 をカウントし、それらのカウントは、
カウント1 は悪いフレームが受信された場合にインクリメントされ、良好なフレームが受信された場合には０にリセットされ、
カウント2 は良好なフレームが受信された場合にインクリメントされ、悪いフレームが受信された場合には０にリセットされ、
カウント3 は空のフレームが受信された場合にインクリメントされ、良好なフレームが受信された場合には０にリセットされ、
装置はさらにカウント2 が第３のしきい値（ＴＨ3)を越えた場合に指定された期間が設定されるフェーディングタイマと、
前記トランシーバをディスエーブルするためのディスエーブル／エネーブル手段と、
信号伝送を終了する終了手段とを具備し、
前記トランシーバはカウント2 が第２のしきい値（ＴＨ2)を越える場合にはエネーブルされ、前記フェーディングタイマが終了する場合には前記トランシーバはディスエーブルされ、カウント3 が第４のしきい値（ＴＨ4)を越えた場合には前記トランシーバはディスエーブルにされ、
前記フェーディングタイマが終了する場合、またはカウント3 が第５のしきい値（ＴＨ5)を越えた場合には送信は終了される専用の制御チャンネルを管理する装置。
【請求項１０】
前記装置はさらに、前記装置から１つの局に送信される試みられたリクエストメッセージの数をカウントするための受領通知カウンタ手段と、
前記指定された期間を追跡するタイマ手段とを具備し、
前記リクエストメッセージは前記局からの回答を要求するものであり、
前記終了手段は、所定の数の試み内に前記局から回答を受信しなかった場合に実行される請求項９記載の方法。
【発明の詳細な説明】
【０００１】
【発明の属する技術分野】
本発明は通信に関する。特に、本発明は通信システムで使用される制御チャンネルを管理するための方法および装置に関する。
【０００２】
【従来の技術】
通信工業会は暫定標準規格ＩＳ−９５Ａ（タイトル“デュアルモード広帯域拡散スペクトルセルラシステム用の移動局−基地局コンパチブル標準規格”、以下ＩＳ−９５と言う）を開発した。このＩＳ−９５システムにおいて、移動局は開ループおよび閉ループ電力制御方法の組合わせによりその送信エネルギを制御する。開ループ電力制御では、移動局はサービス基地局からの順方向リンク信号の受信エネルギを測定してこの測定結果にしたがってその逆方向リンク送信信号のエネルギを調節する。閉ループ電力制御では、サービス基地局は移動局からの送信信号のエネルギを測定してこの測定結果に基づいて一連のアップ／ダウン命令を移動局に送信し、その移動局はそれに応答して送信信号のエネルギを調節する。開ループおよび閉ループを使用する電力制御システムは本出願人に譲渡された米国特許第５０５６１０９号明細書（発明の名称ＣＤＭＡセルラ移動局電話システムにおける送信電力を制御する方法および装置）に記載されており、本明細書に対する参考文献とされる。
【０００３】
ＩＳ−９５では移動局は呼び中に順方向トラヒックチャンネル特性を監視することを要求される。移動局が１２（Ｎ2m）の連続的な悪いフレームを受信したとき、移動局は逆方向リンクが妨害されないようにその送信機をディスエーブルすることを要求される。その後、もしも移動局２つ（Ｎ3m）の連続的な良好なフレームを受信したならば、その送信機再度エネーブルしなければならない。移動局はまたフェーディングタイマを維持する。フェーディングタイマは予備のの始めにおいてその送信機を動作可能にするとき最初にエネーブルにされ、順方向トラヒックチャンネルで２つ（Ｎ3m）の連続的な良好なフレームが受信された場合には常に５（Ｔ5m）秒間リセットされる。フェーディングタイマが期間を終了したならば、移動局はその送信機をディスエーブルに順方向トラヒックチャンネルの損失を宣言し、呼びを終了する。
【０００４】
国際通信協会は最近、無線通信チャンネルにより高速度データおよび高品質音声サービスを提供するための提案された方法をリクエストした。この提案の第１のものは通信工業会によって発行されたｃｄｍａ2000ＩＴＵ−Ｒ  ＲＴＴ  候補報告（以後ｃｄｍａ２０００と言う）である。ｃｄｍａ2000では、ＩＳ- ９５における順方向トラヒックチャンネルの等価物は順方向基本チャンネル（Ｆ−ＦＣＨ）および順方向専用制御チャンネル（Ｆ−ＤＣＣＨ）である。これらのチャンネルで送信されたデータフレームは長さが２０ｍｓまたは５ｍｓのいずれかにすることができる。Ｆ−ＦＣＨに対しては、フレーム（２０ｍｓまたは５ｍｓ）はＣＤＭＡシステム時間の始めに整列した２０ｍｓのインターバル毎に送信される。Ｆ−ＤＣＣＨに対しては、送信は不連続に行われ、データフレームがＣＤＭＡシステム時間に整列した２０ｍｓのインターバル中に存在しない可能性もある。
【０００５】
コード分割多元接続（ＣＤＭＡ）変調技術の使用は、多数のシステムユーザが存在している通信を容易にするための幾つかの技術の１つである。他の多元接続通信システムの技術、例えば時分割多元接続（ＴＤＭＡ）および周波数分割多元接続（ＦＤＭＡ）も技術的に知られている。しかしながら、ＣＤＭＡの拡散スペクトル変調技術は多元接続通信システムに対してこれらの変調技術にまさる顕著な利点を有している。多元接続通信システムにおけるＣＤＭＡ技術の使用は本出願人に譲渡され、ここで参考文献とされる米国特許第４，９０１，３０７号明細書および米国特許第５，１０３，４５９号明細書に記載されている。
【０００６】
本質的に性質が広帯域信号のものであるＣＤＭＡは広い帯域にわたって信号エネルギを拡散することによって周波数ダイバーシティの形態を提供する。それ故、周波数選択性のフェーディングはＣＤＭＡの信号帯域幅の小部分にしか影響しない。空間または通路ダイバーシティは移動ユーザから２以上のセルサイトを通って同時のリンクを通る多元信号路を与えることによって得られる。さらに、通路ダイバーシティは異なった伝搬遅延で到着した受信信号を別々に処理することを許容することによって拡散スペクトル処理により多通路環境を利用して得ることができる。通路ダイバーシティの例は共に本出願人にに譲渡され、ここで参考文献とされる米国特許第５，１０１，５０１号明細書および米国特許第５，１０９，３９０号明細書に記載されている。
【０００７】
ＱＰＳＫ変調フォーマットを使用してデータを提供する通信システムにおいては、有用な情報はＱＰＳＫ信号のＩおよびＱ成分の交差積を形成することによって得られる。２つの成分の相対的な位相を知ることによって、基地局に関する移動局の速度を大まかに決定することができる。ＱＰＳＫ変調通信システムにおけるＩおよびＱ成分の交差積を決定するための回路の説明は本出願人に譲渡され、ここで参考文献とされる米国特許第５，５０６，８６５号明細書に開示されている。
【０００８】
【発明が解決しようとする課題】
高レートでデジタル情報を送信することのできる無線通信システムに対する需要が増加している。ＣＤＭＡの拡散スペクトル技術を使用して遠隔局から中央の基地局に高レートでデジタル情報を遠隔局が送信する１つの方法は、本出願人にに譲渡され、ここで参考文献とされる米国特許出願０８／８８６，６０４号明細書（発明の名称：高データレートのＣＤＭＡ無線通信システム）に開示されている。
【０００９】
Ｆ−ＤＣＣＨがこの不連続伝送モードにあるとき、Ｆ−ＤＣＣＨを管理する新しい方法が必要とされている。何故ならば、移動局は、受信されたフレームが良好なフレームか、悪いフレームか、あるいは空のフレーム（伝送なし）かを決定しなければならず、受信されたフレームの形式に基づいて伝送をどのように処理するかを決定しなければならいからである。
【００１０】
【課題を解決するための手段】
本発明は、無線通信システムで使用される専用の制御チャンネルを管理するための方法および装置である。本発明は、空のフレームに遭遇したときの種々のＦ−ＤＣＣＨの管理の問題を解決する。
【００１１】
本発明の第１の実施形態は、空のフレームが単に無視されるＩＳ−９５で使用される方法についての改良である。移動局は、連続的な悪いフレームのカウンタのカウント1 、連続的な良好なフレームのカウンタのカウント2 、および空のフレームのカウンタのカウント3 を維持している。各カウンタｋカウントは予備の開始時にゼロに設定される。受信された各フレームに対して、移動局は良好なフレームか、悪いフレームか、空のフレームかを決定する。受信されたフレームが良好なフレームであればカウント1 およびカウント3 がゼロにリセットされ、カウント2 が１つインクリメントされる。受信されたフレームが悪いフレームである場合にはカウント1 が１つインクリメントされ、カウント2 がゼロにリセットされる。カウント1 が第１のしきい値ＴＨ1 に到達する場合には、移動局はその送信機をディスエーブルする。カウント2 が第２のしきい値ＴＨ2 に到達する場合には、移動局はその送信機を再度エネーブルする。移動局は、カウント2 が第３のしきい値ＴＨ3 に到達した場合には常にフェーディングタイマをＸ秒にリセットする。
【００１２】
受信されたフレームが空のフレームであれば、カウント1 およびカウント2 は変化しないが、カウント3 が１つインクリメントされる。カウント3 が第４のしきい値ＴＨ4 に到達する場合には、移動局はその送信機をディスエーブルする。カウント3 が第５のしきい値ＴＨ5 に到達する場合には、移動局はその送信機がすでにディスエーブルされていなければディスエーブルして順方向トラヒックチャンネルが失われたことを宣言する。
【００１３】
別の実施形態では、移動局はアクチブセット中のパイロットの受信されたパイロット強度（Ｅc ／Ｉo ）を使用してＦ−ＤＣＣＨの管理を行う。この方法はアクチブセット中の全てのパイロットのＥc ／Ｉo を集合し、指定された時間インターバルにおいてそれらを平均する。この平均の集合された値（ＡＡＶ）が特定された時間量に対してしきい値よりも下であれば、移動局はその送信機をディスエーブルする。ＡＡＶが特定の長い期間にわたって連続的にしきい値よりも下であれば、移動局はその送信機がまだディスエーブルされていなければディスエーブルし、順方向トラヒックチャンネルが失われたことを宣言する。
【００１４】
当業者に容易に認識することができるように、本発明はまた、以下の詳細な説明から明らかにされる多くの効果および利点を提供する。
【００１５】
【発明の実施の形態】
本発明のいくつかの特徴、目的および効果は添付図面を参照にして以下の詳細な説明から明らかにされる。図面において同様の符号は全体を通して同様の要素を示している。
図１において基地局2 は順方向リンク信号6 を移動局4 に送信する。移動局4 は逆方向リンク信号8 を基地局2 に送信する。例示的な実施形態では、順方向リンク信号6 および逆方向リンク信号8 はコード分割多元アクセス（ＣＤＭＡ）通信信号であり、国際通信ユニオンに対する候補サブミッション、題名“ｃｄｍａ２０００ＩＴＵ- Ｒ  ＲＴＴ候補サブミッション”における通信工業会によって考慮されており、題名“ｃｄｍａ２０００物理的層に対する提案された投票テキスト”として暫定ドラフトテキスト中にさらに示されている。
【００１６】
図２を参照すると、順方向リンク信号6 のＦ- ＤＣＣＨの送信および逆方向リンク信号8 の受信のために必要な素子が詳細に示されている。Ｆ- ＤＣＣＨでの送信のためのメッセージはＦ- ＤＣＣＨメッセージ発生装置（ＤＣＣＨ  ＭＡ発生装置）100 で発生される。これらのメッセージはレートスケジュールメッセージ、ハンドオフ指令メッセージ、および以下記載する応答メッセージを含むことができる。Ｆ- ＤＣＣＨはＤＴＸチャンネルであり、基地局2 から移動局4 へ通信されるメッセージが存在するとき送信される。
【００１７】
メッセージはＦ−ＤＣＣＨ処理素子102 に与えられる。Ｆ−ＤＣＣＨ処理素子102 はＦ−ＤＣＣＨメッセージの必要な前処理および符号化を行い、メッセージを順方向リンク信号6 のＦ−ＤＣＣＨで送信するためにメッセージをチャンネル化する。Ｆ−ＤＣＣＨメッセージは循環冗長チェック（ＣＲＣ）およびテールビット発生装置104 へ与えられる。それに応答して、ＣＲＣおよびテールビット発生装置104 はＦ−ＤＣＣＨメッセージ中のビットにしたがって１組のＣＲＣビットを発生し、ＣＲＣビットをＦ−ＤＣＣＨメッセージに添付する。その後、ＣＲＣおよびテールビット発生装置104 は一連のテールビットを添付して受信機のデコーダのメモリをクリアしてその結果得られるパケットをエンコーダ106 に与える。
【００１８】
例示的な実施形態では、エンコーダ106 はコンボリューションエンコーダであり、その設計および構成は技術的によく知られている。しかしながら、本発明はブロックエンコーダおよびターボエンコーダのような他の形式のエンコーダに対しても同様に適用可能である。コード化されたシンボルはインターリーバ108 に与えられる。インターリーバ108 はＦ−ＤＣＣＨメッセージの送信に時間ダイバーシティを与えるために予め定められた様式でシンボルを再整列する。インターリーバの動作は受信機においてデコーダの性能を改善するためにパケットにわたってエラーバーストの結果を拡散することを助ける。これらの連続的に生じる“エラーバースト”ビットまたはシンボルエラーは無線通信システムにおいて典型的なものである。
【００１９】
インターリーブされたシンボルはパワー制御パンクチャ素子109 へ供給される。パワー制御パンクチャ素子109 は逆方向リンクパワー制御ビットを受取り、パワー制御ビットをインターリーブされたシンボル流中にパンクチャする。パワー制御ビットは移動局4 に送信され、逆方向リンク信号8 の送信エネルギを調整するために使用される。
【００２０】
パンクチャ素子109 からのシンボルはデマルチプレクサ110 に供給され、このデマルチプレクサ110 はシンボルを交互に異なった処理路に出力する。デマルチプレクサ110 の第１の出力はスプレッド素子112aに与えられ、デマルチプレクサ110 の次の出力はスプレッド素子112bに与えられ、以下同様である。スプレッダ112 は直交拡散関数ＷDCCHにしたがって多重化から分解されたシンボルを拡散させる。直交拡散は技術的によく知られており、スプレッダ112 の好ましい実施形態は米国特許第５，１０３，４５９号明細書に記載されている。拡散された信号は複素数ＰＮスプレッダ116 に供給される。
【００２１】
専用の制御チャンネルに加えて、基地局2 は受信されたＦ−ＤＣＣＨを遠隔局がコヒーレントに復調することを可能にするためにパイロットチャンネルを送信する。典型的には全て１であるパイロットシンボルはスプレッド素子114 に与えられる。パイロットシンボルは、スプレッドシーケンスＷDCCHに対して直交する直交スプレッドシーケンスＷpilot にしたがって拡散される。
【００２２】
スプレッド素子112 および114 からのスプレッドされた信号は複素数ＰＮスプレッダ116 に与えられる。複素数ＰＮスプレッダ116 はスプレッド素子112 および114 からの信号を２つの疑似雑音（ＰＮ）シーケンスＰＮI およびＰＮQ にしたがって拡散させる。複素数ＰＮスプレッドは技術的によく知られており、ｃｄｍａ２０００候補サブミッション、IS-2000 ドラフト明細および前述の米国特許出願08/856,4280 号明細書に詳細に記載されている。複素数ＰＮ拡散信号は送信機118 に与えられる。送信機118 はアンテナ120 によって順方向リンク信号6 を送信するためにスプレッドされた信号を上方変換し、増幅し、濾波する。例示的な実施例では送信機118 はＱＰＳＫ変調フォーマットにしたがって信号を変調する。
【００２３】
図３を参照すると順方向リンク信号6 はアンテナ200 で受信され、デマルチプレクサ202 を通って受信機204 に与えられる。受信機204 は順方向リンク信号6 を下方変換し、増幅し、濾波する。受信機204 はＱＰＳＫ復調フォーマットにしたがって順方向リンク信号6 を復調し、同位相および直角位相信号を複素数ＰＮデスプレッダ206 に出力する。複素数ＰＮデスプレッダ206 は信号（ＰＮI およびＰＮQ ）を拡散するために使用される２つの疑似雑音シーケンスにしたがって受信された信号をデスプレッドする。デスプレッドされた複素数ＰＮ信号はパイロットフィルタ208 に供給される。パイロットフィルタ208 はさらに直交スプレッドシーケンスＷpilot にしたがって信号をデスプレッドする。デスプレッドされたパイロットシンボルはＥc ／ＩO 計算装置214 およびドット積回路216 に与えられる。
【００２４】
複素数ＰＮデスプレッド信号はまた復調装置210 にも与えられる。復調装置210 はＰＮデスプレッド信号を直交スプレッドコードＷDCCHにしたがって復調する。デスプレッド信号はその後ドット積回路216 に与えられる。ドット積回路216 はＦ−ＤＣＣＨおよびパイロットチャンネルのドット積を計算する。パイロットチャンネルおよび専用の制御チャンネルの両者は同じ伝搬路を通るから、それらは同じ位相シフトを受ける。パイロットチャンネルとＤＣＣＨチャンネルとのドット積を計算することによって、チャンネルの誘起された位相の曖昧性が除去された大きさのスカラーセットが生じる。ドット積回路216 の好ましい構成は前述の米国特許第５，５０６，８６５号明細書にされている。
【００２５】
ドット積回路216 から得られた復調されたシンボルはデインターリーバ／デコーダ218 および空のフレーム検出装置220 に与えられる。デインターリーバ／デコーダ218 はＦ−ＤＣＣＨメッセージをデインターリーブし、デコードしてＤＣＣＨ制御プロセッサ222 に対して悪いフレームであることの宣言を示すメッセージまたは信号の評価を与える。悪いフレームを検出することのできる多数の方法が存在している。第１の方法は、遠隔局4 においてローカルに発生されたときＣＲＣがデコードされたＣＲＣビットにより検査されることを決定することである。第２の方法は、受信されたコード化されたシンボルをデコードされたビットに基づいてローカル的に発生された再符号化された１組のシンボルと比較することによって受信されたシンボルのシンボルエラー率を計算することである。
【００２６】
ドット積回路216 から得られた復調されたシンボルはまた空のフレーム検出装置220 にも与えられる。空のフレーム検出装置220 は復調されたシンボルの信号対雑音比を計算して測定された信号対雑音比をしきい値と比較する。信号対雑音比がしきい値よりも低い場合には、空のフレームが宣言される。空のフレームを決定する他の方法があり、それらの任意のものが本発明の技術的範囲を逸脱することなく使用されることができることを注意すべきである。空のフレームを決定する方法および装置は、本出願人に譲渡された米国特許出願09/150,493号明細書に記載されている。
【００２７】
空でないデータフレームはＤＣＣＨ制御プロセッサ222 に与えられ、この制御プロセッサ222 はパンクチャされたパワー制御命令を抽出し、信号を送信機232 に送ってそれに応答して逆方向リンク信号8 の送信エネルギを調整する。このパワー制御命令流が失われると、逆方向リンク信号8 のパワー制御が不可能になって、その結果逆方向リンクの妨害の可能性が増加する。
【００２８】
本発明の第１の実施形態では、ＤＣＣＨ制御プロセッサ222 は、フレームが良好なフレームか、悪いフレームか、空のフレームかを示す指示をデコーダ218 または検出器220 から受取る。３個のカウンタ，ＣＮＴ1 224 ，ＣＮＴ2 226 およびＣＮＴ3 227 は呼びの開始のときゼロに初期化される。受信したフレームが良好なフレームである場合には、ＣＮＴ1 224 はゼロにリセットされ、ＣＮＴ2 226 は１つインクリメントされる。受信したフレームが悪いフレームであると宣言された場合には、ＣＮＴ1 224 はインクリメントされ、ＣＮＴ2 226 はゼロにリセットされる。受信したフレームが空のフレームであると宣言された場合には、ＣＮＴ1 224 およびＣＮＴ2 226 は変化されないままであり、ＣＮＴ3 227 はインクリメントされる。ＣＮＴ1 224 の値がしきい値ＴＨ1 に到達すると、ＤＣＣＨ制御プロセッサ222 は送信機232 に信号を送って送信機をディスエーブルにする（すなわち出力パワーをオフに切換える）。その後、ＣＮＴ2 226 の値がしきい値ＴＨ2 に到達すると、ＤＣＣＨ制御プロセッサ222 は送信機232 に信号を送って送信機を再エネーブルする。同様に、ＣＮＴ3 227 の値がしきい値ＴＨ4 に到達すると、ＤＣＣＨ制御プロセッサ222 は送信機232 に信号を送って送信機をディスエーブルにする。ＣＮＴ3 227 の値がしきい値ＴＨ5 に到達すると、ＤＣＣＨ制御プロセッサ222 は送信機232 がまだディスエーブルにされていないときには送信機232 に信号を送って送信機232 をディスエーブルする（すなわち呼びを終了する）。
【００２９】
本発明の第２の実施形態では、基地局2 は、その時Ｆ−ＤＣＣＨでデータフレームが送信されていない場合には、以下、管理フレームと呼ぶフレームをＮ秒のインターバル毎に送信する。管理フレームは移動局に知られている予め定められたビットを含んでおり、基地局2 と移動局4 との間で折衝されている最低のデータレートで送信される。図２を参照すると、タイマ134 はＮ秒のインターバルを追跡してインターバルの終わりに信号を制御プロセッサ132 に送る。制御プロセッサ132 は送信するメッセージがあるか否かを決定し、メッセージがない場合には、信号をメッセージ発生装置228 に与えて、管理フレームを発生する。管理フレームは前にＤＣＣＨメッセージに関して記載したようにＦ−ＤＣＣＨチャンネルで送信される。その後移動局4 は、種々のしきい値に対して潜在的に異なった値でＩＳ−９５に規定されたのと類似の方法でそのような予め設定された時間に送信された空でないフレームについてＦ−ＤＣＣＨ管理を実行する。移動局4 は、これらの周期的フレームに加えて、管理の目的で受信されたたの空でないフレームを含んでいてもよい。別の実施形態では、移動局は、管理フレームがＮ秒毎に送信されることを知る。Ｎ秒内に良好なフレームが受信されない場合にはＣＮＴ1 はインクリメントされる。この方法は上述の、第１の実施形態と関連して使用されてもよい。
【００３０】
第３の実施形態では、連続する空のフレームの数がしきい値を越えた場合には常に基地局2 はここで管理フレームと呼ぶフレームを送信する。好ましい実施形態では、管理フレームは移動局に知られている予め定めたビットを含み、基地局2 と移動局4 の間で折衝されている最低のデータレートで送信する。図２を参照すると、制御プロセッサ132 はメッセージ発生装置100 からの信号にしたがって連続する空のフレームの数を追跡する。連続する空のフレームの数がしきい値を超えるとき、制御プロセッサ132 は管理フレームを発生するためにメッセージ発生装置100 に信号を送って管理フレームを生成する。管理フレームは他のＦ−ＤＣＣＨメッセージに関して前述のようにＦ−ＤＣＣＨチャンネルで送信される。その後移動局4 はＩＳ−９５に規定されたのと類似の方法で、潜在的に種々のしきい値に対して異なった値で全ての空でないフレームについてＦ−ＤＣＣＨ管理を行う。別の実施形態では、制御プロセッサ132 は所定の時間インターバルＮにおける連続する空のフレームの数を追跡する。もしも、良好なフレームが時間インターバルＮ内に受信されない場合には、ＣＮＴ１がインクリメントされ、上述のように処理が進行する。
【００３１】
第４の実施形態では、移動局4 は検出された連続する空のフレームの数がしきい値を越えたとき、基地局2 からの回答を要求とするリクエストメッセージを送信する。回答は単にリクエストメッセージが受信されたことの受領通知であってもよい。図３を参照すると、制御プロセッサ222 は空のフレーム検出器220 からフレームが空であるか否かの指示を受取る。この実施形態では、カウンタ224 は連続する空のフレームの数を追跡し、悪いフレームまたは良好なフレームが検出されたときリセットされる。連続する空のフレームの数がしきい値を超えると制御プロセッサ222 はメッセージ発生装置228 に信号を送り、メッセージ発生装置228 は応答してリクエストメッセージを発生する。リクエストメッセージはエンコーダ229 で符号化され、変調装置230 で変調され、上方変換され、増幅され、フィルタ処理されて逆方向リンク信号8 の予め定められたチャンネルに与えられる。リクエストメッセージは標準的にすでに定められた既存の任意のメッセージでよく、それは受領通知を送ること以外の基地局の作用は何もさせない。例えばパワー測定報告メッセージである。リクエストメッセージはまたＦ−ＤＣＣＨで管理フレームを基地局2 に送信させる特別のメッセージであってもよい。
【００３２】
図２を参照すると、リクエストメッセージはアンテナ122 で受信され、受信機124 に与えられ、この受信機124 において逆方向リンク信号8 は下方変換され、増幅され、フィルタ処理され、受信された信号を復調装置126 に供給する。復調装置126 は信号を復調し、デコーダは128 は復調されたシンボルをデコードしてリクエストメッセージを制御プロセッサ132 に与える。それに応答して、制御プロセッサ132 は、メッセージがＦ−ＤＣＣＨで送信される順番を待っているか否かを決定し、そうでない場合には、Ｆ−ＤＣＣＨで送信するためのメッセージをメッセージ発生装置100 が発生することを要求する信号を送る。例示的な実施形態では、メッセージ発生装置100 によって発生されたメッセージは移動局4 からの単なるリクエストメッセージの受領通知である。
【００３３】
移動局は基地局が回答したことを知る。それ故、別の実施形態では、移動局がリクエストメッセージが送られた後のＴ秒の期間内に良好なフレームを受信しない場合には、ＣＮＴ1 がインクリメントされ、処理は前述のように進行する。別の形態では、移動局は受領通知カウンタを備え、それはリクエストメッセージを移動局が送信しようとする回数をカウントする。基地局からの応答がＫ回の試み内に受信されない場合には、移動局はその送信機がすでにディエーブルにされていないならばディエーブルにし、順方向トラヒックチャンネルの失われたことを宣言する（すなわち呼びが終了される）。
【００３４】
第５の実施形態では、移動局4 は受信したフレームの予め定められた数内の検出された空のフレームの数がしきい値を越えたとき、空のフレームが連続しているか否かに関係なく基地局2 からの回答を要求するリクエストメッセージを送信する。図３を参照すると、制御プロセッサ222 は空のフレーム検出器220 からフレームが空であるか否かに関する指示を受取る。カウンタ224 は移動累算器のように空のフレームの数を追跡する。受信したフレームの予め定められた数内の空のフレームの数がしきい値を超えるとき、制御プロセッサ222 はメッセージ発生装置228 に信号を送り、メッセージ発生装置228 は応答してリクエストメッセージを発生する。リクエストメッセージはエンコーダ229 で符号化され、変調装置230 で変調され、上方変換され、増幅され、フィルタ処理されて逆方向リンク信号8 の予め定められたチャンネルに与えられる。
【００３５】
図２を参照すると、リクエストメッセージはアンテナ122 で受信され、受信機124 に与えられ、この受信機124 において逆方向リンク信号8 は下方変換され、増幅され、フィルタ処理され、受信された信号を復調装置126 に供給する。復調装置126 は信号を復調し、デコーダは128 は復調されたシンボルをデコードしてリクエストメッセージを制御プロセッサ132 に与える。それに応答して、制御プロセッサ132 は、メッセージがＦ−ＤＣＣＨで送信される順番を待っていることを決定し、そうでない場合には、Ｆ−ＤＣＣＨで送信するためのメッセージをメッセージ発生装置100 が発生することを要求する信号を送る。例示的な実施形態では、メッセージ発生装置100 によって発生されたメッセージは単なるリクエストメッセージの受領通知である。
【００３６】
移動局は基地局が回答したことを知る。メッセージを送った後のＴ秒の期間内に回答が受信されない場合には、ＣＮＴ1 がインクリメントされる。別の実施形態では、移動局は受領通知カウンタを備え、それはリクエストメッセージを移動局が送信しようとする回数をカウントする。メッセージ送信のＫ回の試み後に回答が受信されない場合には、移動局はその送信機がすでにディエーブルにされていないならばディエーブルにし、順方向トラヒックチャンネルの失われたことを宣言する（すなわち呼びが終了される）。
【００３７】
第６の実施形態では、移動局4 はＦ−ＤＣＣＨ管理を行うためにアクチブセットでパイロットの受信パイロット強度（ＥC ／ＩO ）を使用する。集められたアクチブセットのパイロットのＥC ／ＩO が予め定められたしきい値を越えたとき、移動局4 は、そのフレームで送信した場合にデータが正確に、したがって良好なフレームで受信されると考える。それでない場合には、移動局4 はフレームは悪いフレームであると考える。良好なフレームと悪いフレームの上記のような定義を有する管理ルールはＩＳ−９５に規定されているものと類似しており、同じしきい値または修正されたしきい値が使用することができる。
【００３８】
図３を参照すると、受信されたパイロットシンボルの信号対雑音比ＥC ／ＩO がＥC ／ＩO 計算装置214 で計算される。順方向リンク信号6 のパイロット信号に対するＥC ／ＩO の値は移動局4 のアクチブセット中の他の基地局からのパイロットのＥC ／ＩO と組合わされて集合されたＥC ／ＩO を与える。基地局のアクチブセットは移動局4 と現在通信している基地局のセットである。集合されたパイロットＥC ／ＩO は制御プロセッサ222 に与えられ、この制御プロセッサ222 は集合ＥC ／ＩO をしきい値と比較する。集合ＥC ／ＩO がしきい値を超える場合には良好なフレームが宣言され、集合ＥC ／ＩO がしきい値より小さければ悪いフレームが宣言される。これは移動局4 が空でない受信されたフレームがフレームをデコードしないでよいフレームか悪いフレームかを推定することを可能にする。これらのカウントに基づいて、移動局4 は前に説明したように送信機232 をエネーブル或いはディスエーブルにする。
【００３９】
別の実施形態では、集合されたＥC ／ＩO はある特定されたインターバルにわたって平均される。平均の集合されたＥC ／ＩO が第１の期間（たとえば220ms ）しきい値ＴＨx より下であるならば、移動局は送信機232 をディスエーブルにする。その後、平均の集合されたＥC ／ＩO が第２の期間（たとえば40ms）しきい値Ｔｈｙより上であるならば、移動局は送信機232 を再度エネーブルにする。しかしながら平均の集合されたパイロットＥC ／ＩO がはるかに長い第３の期間（たとえば５秒間）しきい値ＴＨx より下であるならば、移動局は送信機232 がすでにディスエーブルにされていなければディスエーブルにし、順方向トラヒックチャンネルの失われたことを宣言する（すなわち呼びが終了される）。期間についての長さが提案されているが、この期間は応用に応じて適応するようにもっと長い時間またはもっと短い時間にすることができる。
【００４０】
種々の実施形態の前述の説明は当業者が本発明を容易に実施できるように行われたものである。これらの実施形態に対する種々の変形は当業者には明白であり、ここで定められた一般的な原理は発明力を要することなく他の実施形態に適用可能である。したがって本発明はここに示された実施形態に限定されるものではなく、ここに開示された原理および優れた特徴に合致した広い技術的範囲にしたがうべきものである。
【図面の簡単な説明】
【図１】  無線通信システムのエレメントを示す概略図。
【図２】  本発明の基地局のブロック図。
【図３】  本発明の遠隔局のブロック図。
【図１】
0004508508.tif 000002
【図２】
0004508508.tif 000003
【図３】
0004508508.tif 000004